(57)【要約】      （修正有）【課題】対象となる計測ユニットの計測装置までのルートを、ナビゲートすることができる特定位置ナビゲーションシステムを提供する。【解決手段】負荷名板と計測装置とから構成される計測ユニットが、複数配列された電気室２００に位置し、電気室に配置された無線通信端末装置６Ａ〜６Ｍと、無線通信端末装置に無線通信することにより位置が特定され、端末表示部と端末操作部を有すると共に、端末無線通信部を有する無線通信端末手段とを備え、対象とする計測装置の情報を、無線通信端末手段５の端末無線通信部から、無線通信端末装置に無線通信し、対象となる計測装置までのルートを、無線通信端末手段の端末表示部に表示する。【選択図】図１
2015230529.tif 000002
【特許請求の範囲】
【請求項１】
負荷名板と計測装置とから構成される計測ユニットが複数配列された電気室に位置し、前記電気室に配置された無線通信端末装置と、前記無線通信端末装置に無線通信することにより位置が特定され、端末表示部と端末操作部を有すると共に端末無線通信部を有する無線通信端末手段とを備え、対象とする前記計測装置の情報を前記無線通信端末手段の前記端末無線通信部から前記無線通信端末装置に無線通信し対象となる前記計測装置までのルートを前記無線通信端末手段の前記端末表示部に表示することを特徴とする特定位置ナビゲーションシステム。
【請求項２】
前記無線通信端末手段の位置は、複数の前記無線通信端末装置に無線通信し前記無線通信端末装置からの受信強度により特定することを特徴とする請求項１に記載の特定位置ナビゲーションシステム。
【請求項３】
前記無線通信端末手段の位置は、前記無線通信端末手段に撮像手段を備え、前記撮像手段により前記計測ユニットの前記負荷名板を撮像し、前記撮像手段の撮像データを前記無線通信端末装置に無線通信して特定することを特徴とする請求項１に記載の特定位置ナビゲーションシステム。
【請求項４】
前記無線通信端末手段の位置は、前記計測ユニットに設けられた前記負荷名板を特定する情報コードを読み取り、前記情報コードのデータを前記無線通信端末装置に無線通信して特定することを特徴とする請求項１に記載の特定位置ナビゲーションシステム。
【請求項５】
前記情報コードは、バーコードであることを特徴とする請求項４に記載の特定位置ナビゲーションシステム。
【請求項６】
前記情報コードは、２次元コードであることを特徴とする請求項４に記載の特定位置ナビゲーションシステム。
【請求項７】
前記無線通信端末手段の位置は、前記計測装置に設けられた前記計測装置を特定するＲＦコードを読み取り、前記ＲＦコードのデータを前記無線通信端末装置に無線通信して特定することを特徴とする請求項１に記載の特定位置ナビゲーションシステム。
【請求項８】
前記無線通信端末手段から前記無線通信端末装置に無線通信して前記電気室を特定することを特徴とする請求項１から請求項７のいずれか１項に記載の特定位置ナビゲーションシステム。
【請求項９】
前記電気室にＩＤ読み取り装置を設け、前記ＩＤ読み取り装置から前記無線通信端末装置に無線通信して前記電気室を特定することを特徴とする請求項１から請求項７のいずれか１項に記載の特定位置ナビゲーションシステム。
【発明の詳細な説明】
【技術分野】
【０００１】
この発明は、例えば電動機等の運転制御を行う計測装置を複数段かつ複数列配置され列盤を電気室に複数配置されたコントロールセンタにおいて、点検対象の計測装置の位置までナビゲートする特定位置ナビゲーションシステムに関するものである。
【背景技術】
【０００２】
大規模なコントロールセンタの場合、電気室に配置されるコントロールセンタの列数が多く、負荷名板と計測装置とから構成される計測ユニットが例えば６段程度でユニット化されて1つの盤となり、そして例えば５列で並んで一つの列盤が構成され、これら列盤が
複数配列されている。
【０００３】
電気室にこれら列盤が複数配列されたコントロールセンタにおいて、保守員は毎日、各計測ユニットに配置された各計測装置の計測値や運転状態に異常がないことを順次巡回しながら確認している。
【０００４】
各計測ユニットには負荷の名称が記載された負荷名板が貼られおり、保守員は各計測ユニットの負荷が何かは負荷名板から確認できる。しかし、特定となる点検対象の計測装置が電気室のどの位置にあるかはわからないため、電気室内を探索しながら点検対象の計測装置の位置にたどりつく必要がある。
【先行技術文献】
【特許文献】
【０００５】
【特許文献１】特開平５−３００６１３号公報
【発明の概要】
【発明が解決しようとする課題】
【０００６】
上述した従来のものにおいて、特定となる点検対象の計測装置を操作、確認する場合には電気室に配置された多くのユニットから操作、確認対象となるユニットの点検対象の計測装置の位置を探索する必要があり、点検対象のユニットの計測装置の前までたどり着くには多大の時間を要している。保守員の移動、探索に時間を要し保守費用がコスト高となる問題があった。また、保守員がどの電気室にいるのかが明確になっていないという問題があった。
【０００７】
この発明は、上記のような課題を解決するためになされたものであり、その目的は、対象となる計測ユニットの計測装置の位置までナビゲートする特定位置ナビゲーションシステムを提供するものである。
【課題を解決するための手段】
【０００８】
この発明に係わる特定位置ナビゲーションシステムは、負荷名板と計測装置とから構成される計測ユニットが複数配列された電気室に位置し、前記電気室に配置された無線通信端末装置と、前記無線通信端末装置に無線通信することにより位置が特定され、端末表示部と端末操作部を有すると共に端末無線通信部を有する無線通信端末手段とを備え、対象とする前記計測装置の情報を前記無線通信端末手段の前記端末無線通信部から前記無線通信端末装置に無線通信し対象となる前記計測装置までのルートを前記無線通信端末手段の前記端末表示部に表示するものである。
【発明の効果】
【０００９】
この発明に係わる特定位置ナビゲーションシステムによれば、無線通信端末手段の位置を特定することにより、対象となる計測ユニットの計測装置の位置までのルートをナビゲートすることができる特定位置ナビゲーションシステムを得ることができる。
【図面の簡単な説明】
【００１０】
【図１】この発明の実施の形態１に係わる特定位置ナビゲーションシステムにおけるコントロールセンタを示す平面図である。
【図２】この発明の実施の形態１に係わる特定位置ナビゲーションシステムにおけるコントロールセンタを示す斜視図である。
【図３】この発明の実施の形態１に係わる特定位置ナビゲーションシステムを示す斜視図である。
【図４】この発明の実施の形態１に係わる特定位置ナビゲーションシステムを示す斜視図である。
【図５】この発明の実施の形態１に係わるコントロールセンタの計測装置を示す正面図である。
【図６】この発明の実施の形態２に係わる特定位置ナビゲーションシステムにおけるコントロールセンタを示す平面図である。
【図７】この発明の実施の形態２に係わる特定位置ナビゲーションシステムにおける列盤を示す要部斜視図である。
【図８】この発明の実施の形態２に係わる特定位置ナビゲーションシステムを示す斜視図である。
【図９】この発明の実施の形態２に係わる特定位置ナビゲーションシステムを示す斜視図である。
【図１０】この発明の実施の形態３に係わる特定位置ナビゲーションシステムを示す斜視図である。
【図１１】この発明の実施の形態４に係わる特定位置ナビゲーションシステムを示す斜視図である。
【図１２】この発明の実施の形態４に係わる特定位置ナビゲーションシステムにおける二次元コードを示す正面図である。
【図１３】この発明の実施の形態５に係わる特定位置ナビゲーションシステムを示す斜視図である。
【図１４】この発明の実施の形態５に係わる特定位置ナビゲーションシステムを示す斜視図である。
【図１５】この発明の実施の形態６に係わる特定位置ナビゲーションシステムにおけるコントロールセンタを示す平面図である。
【図１６】この発明の実施の形態６に係わる特定位置ナビゲーションシステムにおける管理センタを示す斜視図である。
【図１７】この発明の実施の形態６に係わる特定位置ナビゲーションシステムにおける管理センタの表示装置を示す斜視図である。
【図１８】この発明の実施の形態７に係わる特定位置ナビゲーションシステムにおけるコントロールセンタを示す平面図である。
【図１９】この発明の実施の形態７に係わる特定位置ナビゲーションシステムにおける管理センタの表示装置を示す斜視図である。
【発明を実施するための形態】
【００１１】
実施の形態１．
以下、この発明の実施の形態１を図１から図５に基づいて説明するが、各図において、同一、または相当部材、部位については同一符号を付して説明する。図１はこの発明の実施の形態１に係わる特定位置ナビゲーションシステムにおけるコントロールセンタを示す平面図である。図２はこの発明の実施の形態１に係わる特定位置ナビゲーションシステム
におけるコントロールセンタを示す斜視図である。図３はこの発明の実施の形態１に係わる特定位置ナビゲーションシステムを示す斜視図である。図４はこの発明の実施の形態１に係わる特定位置ナビゲーションシステムを示す斜視図である。図５はこの発明の実施の形態1に係わるコントロールセンタの計測装置を示す正面図である。
【００１２】
図１は、コントロールセンタ１００が電気室２００に配置された場合を示している。コントロールセンタ１００は、図２に示すように、負荷名板１と計測装置２とから構成される計測ユニット４が例えば６段配置してユニット化されて1つの盤となり、そして例えば５列で並んで一つの列盤が構成され、これら列盤が複数配列されている。すなわち、図は一例として、列盤Ａから列盤Ｍまで配置された場合を示している。電気室２００に配置されたコントロールセンタ１００の点検、保守に際してはドア２０１を開けて入室して行われる。
【００１３】
例えば、列盤Ｄは、負荷名板１と計測装置２とから構成される計測ユニット４が例えば計測ユニット４ａから計測ユニット４ｆの６段配置してユニット化されて1つの盤となり、そして、これらの盤が例えば盤Ｄ１から盤Ｄ５の５列で並んで一つの列盤Ｄが構成されている。その他の列盤Ａから列盤Ｃ、列盤Ｅから列盤Ｍも例えば同様に負荷名板１と計測装置２とから構成される計測ユニット４が例えば６段配置してユニット化されて1つの盤となり、そして、これらの盤が例えば５列で並んで一つの列盤がそれぞれ構成されている。
【００１４】
電気室２００にこれら列盤Ａから列盤Ｍが複数配列されたコントロールセンタ１００において、保守員は毎日、各計測ユニット４に配置された各計測装置２の計測値や運転状態に異常がないことを順次巡回しながら確認する。計測ユニット４に配置された計測装置２の計測値や運転状態に異常が発生していることを保守員が確認した場合、例えば、図２において、列盤Ｄの盤Ｄ１の上から２段目の計測ユニット４ｂに異常が発生している場合、保守員はその点検、保守の対象となる計測ユニット４ｂの計測装置２の位置までナビゲートすることができる。
【００１５】
この実施の形態１においては、例えば列盤Ａから列盤Ｍのそれぞれに無線通信端末装置６Ａ〜６Ｍを配置しており、電気室２００のドア２０１を開けて入室し、保守員が持っている例えばタブレット端末から構成される無線通信端末手段５の端末無線通信部８から複数の無線通信端末装置に無線送信することにより図示しない位置情報サービスシステムによりその無線通信端末手段５の現在位置が特定される。すなわち、受信電波強度方式による位置情報サービスシステムによるものであり、無線通信端末手段５と列盤Ａから列盤Ｍのそれぞれに配置した無線通信端末装置６Ａ〜６Ｍとの電波強度から距離を逆算することで、３点以上の無線通信端末装置の電波を受信して強度を測定することにより無線通信端末装置からの距離が測定でき、３点以上の距離を測定することにより無線通信端末手段５の位置が特定できるものである。
【００１６】
無線通信端末手段５の位置が特定されると、特定となる点検対象の計測装置、例えば列盤Ｄの盤Ｄ１の計測ユニット４ｂの負荷名称、列盤コード等を無線通信端末手段５の端末操作部６により入力して例えば列盤Ａの無線通信端末装置６Ａに無線送信する。管理データベース側にてその情報を分析し、例えば無線通信端末装置６Ａを通して図３に示すように無線通信端末手段５の端末表示部７に特定となる点検対象の例えば列盤Ｄの盤Ｄ１までのルートＲにて誘導するナビゲート画面が表示され、そのナビゲート画面を見ながらルートＲに沿って進む。列盤Ｄの盤Ｄ１の前に到着すると、図４に示すように特定となる点検対象の列盤Ｄの盤Ｄ１の計測ユニット４ｂが特定される。
【００１７】
このように、この実施の形態１における特定位置ナビゲーションシステムによれば、対象となる計測ユニットの計測装置の位置までのルートＲをナビゲートすることができ、保守員の対象となる計測ユニットの計測装置の位置までの移動時間、対象となる計測ユニットの計測装置の探索時間を短縮することができるので、保守費用の低減を図ることができる。
【００１８】
ところで、盤Ｄ１の計測ユニット４ｂの保守については、計測ユニット４ｂの計測装置２において行われる、計測装置２の計測装置表示操作部２０の計測装置表示部２１および計測装置操作部２２の一例について図５に基づいて説明する。計測装置２には例えば無線通信部３が設けられている。計測装置表示操作部２０の計測装置表示部２１は種々数値を表示する液晶ディスプレイ２３と、ＬＥＤ表示灯２４ａからＬＥＤ表示灯２４ｄが設けられている。例えば、ＬＥＤ表示灯２４ａはＯＮ、ＬＥＤ表示灯２４ｂはＯＦＦ、ＬＥＤ表示灯２４ｃはＦＡＵＬＴ、ＬＥＤ表示灯２４ｄはＥＲＲＯＲをそれぞれ表示するようになっている。
【００１９】
また、計測装置表示操作部２０の計測装置操作部２２は、例えば、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇが設けられている。
【００２０】
そして、計測装置表示操作部２０の計測装置操作部２２に設けられた、直接制御用ボタン部２５ａ、遠方制御用ボタン２５ｂ、停止ボタン２５ｃ、逆転ボタン２５ｄ、正転ボタン２５ｅ、ＭＯＤＥボタン２６ａ、ＳＥＴボタン２６ｂ、アップボタン２６ｃ、ダウンボタン２６ｄ、ＣＬＥＡＲ／ＢＡＣＫボタン２６ｅ、ＲＥＳＥＴボタン２６ｆ、外部機器接続端子２６ｇなどを操作して、点検、保守を行うことができる。
【００２１】
実施の形態２．
この発明の実施の形態２を図６から図８に基づいて説明するが、各図において、同一、または相当部材、部位については同一符号を付して説明する。図６はこの発明の実施の形態２に係わる特定位置ナビゲーションシステムにおけるコントロールセンタを示す平面図である。図７はこの発明の実施の形態２に係わる特定位置ナビゲーションシステムにおける列盤を示す要部斜視図である。図８はこの発明の実施の形態２に係わる特定位置ナビゲーションシステムを示す斜視図である。
【００２２】
上述した実施の形態１においては、無線通信端末手段５と列盤Ａから列盤Ｍのそれぞれに配置した無線通信端末装置６Ａ〜６Ｍとの電波強度から距離を逆算することで、３点以上の無線通信端末装置の電波を受信して強度を測定することにより無線通信端末装置からの距離を測定し、３点以上の距離を測定することにより無線通信端末手段５の位置を特定する場合について述べたが、この実施の形態２においては、電気室２００のドア２０１の近傍の列盤、例えば列盤Ａの盤Ａ５の計測ユニット４ａの負荷名板１の名称を無線通信端末手段５に備えたカメラなどの撮像手段（図示せず）により撮像し、無線通信端末手段５の撮像手段により撮像した撮像データを無線通信端末手段５の端末無線通信部８から例えば無線通信端末装置６Ｂに無線送信することにより、管理データベース側にてその情報が分析されて無線通信端末手段５の位置が特定される。
【００２３】
無線通信端末手段５の位置が特定されると、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信する。管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示され、そのナビゲート画面を見ながらルートＳに沿って進んで点検対象の列盤Ｄの盤Ｄ１の前に到着することができる。
【００２４】
この実施の形態２によれば、電気室２００のドア２０１の近傍の列盤、例えば列盤Ａの盤Ａ５の計測ユニット４ａの負荷名板１の名称を無線通信端末手段５のカメラなどの撮像手段（図示せず）撮像しその撮像データを無線通信端末手段５の端末無線通信部８から例えば無線通信端末装置６Ｂに無線送信することにより、管理データベース側にてその情報が分析されて無線通信端末手段５の位置が特定され、無線通信端末手段５の位置が特定された後、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信することにより、管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示されるので、対象となる計測ユニットの計測装置の位置までのルートＳをナビゲートすることができ、保守員の対象となる計測ユニットの計測装置の位置までの移動時間、対象となる計測ユニットの計測装置の探索時間を短縮することができるので、保守費用の低減を図ることができる。
【００２５】
実施の形態３．
この発明の実施の形態３を図１０に基づいて説明する。図１０はこの発明の実施の形態３に係わる特定位置ナビゲーションシステムを示す斜視図である。
【００２６】
上述した実施の形態２においては、電気室２００のドア２０１の近傍の列盤、例えば列盤Ａの盤Ａ５の計測ユニット４ａの負荷名板１の名称を無線通信端末手段５のカメラなどの撮像手段（図示せず）撮像しその撮像データを無線通信端末手段５の端末無線通信部８から例えば無線通信端末装置６Ｂに無線送信することにより、管理データベース側にてその情報が分析されて無線通信端末手段５の位置が特定される場合について述べたが、この実施の形態３においては、各列盤には負荷名板１を特定する情報コードすなわちバーコード１１が設けられた場合を示し、例えば列盤Ａの盤Ａ５の計測ユニット４ａの負荷名板１を特定するバーコード１１を無線通信端末手段５に設けた読み取り装置（図示せず）により読み取り、そのバーコード１１のデータを端末無線通信部８から例えば無線通信端末装置６Ｂに無線送信することにより、管理データベース側にてその情報が分析されて無線通信端末手段５の位置が特定される。
【００２７】
無線通信端末手段５の位置が特定されると、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信する。管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示され、そのナビゲート画面を見ながらルートＳに沿って進んで点検対象の列盤Ｄの盤Ｄ１の前に到着することができる。
【００２８】
この実施の形態３によれば、電気室２００のドア２０１の近傍の列盤、例えば列盤Ａの盤Ａ５の計測ユニット４ａの負荷名板１を特定するバーコード１１を無線通信端末手段５の読み取り装置（図示せず）により読み取り、そのバーコード１１のデータを無線通信端末手段５の端末無線通信部８から例えば無線通信端末装置６Ｂに無線送信することにより、管理データベース側にてその情報が分析されて無線通信端末手段５の位置が特定され、無線通信端末手段５の位置が特定された後、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信することにより、管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示されるので、対象となる計測ユニットの計測装置の位置までのルートＳをナビゲートすることができ、保守員の対象となる計測ユニットの計測装置の位置までの移動時間、対象となる計測ユニットの計測装置の探索時間を短縮することができるので、保守費用の低減を図ることができる。
【００２９】
実施の形態４．
この発明の実施の形態４を図１１および図１２に基づいて説明するが、各図において、同一、または相当部材、部位については同一符号を付して説明する。図１１はこの発明の実施の形態４に係わる特定位置ナビゲーションシステムを示す斜視図である。図１２はこの発明の実施の形態４に係わる特定位置ナビゲーションシステムにおける二次元コードを示す正面図である。
【００３０】
この実施の形態４においては、各列盤には図１２に示すような負荷名板１を特定する２次元コード１２が設けられた場合を示し、例えば列盤Ａの盤Ａ５の計測ユニット４ａの負荷名板１を特定する情報コードすなわち２次元コード１２を無線通信端末手段５に設けた読み取り装置（図示せず）により読み取り、その２次元コード１２のデータを端末無線通信部８から例えば無線通信端末装置６Ｂに無線送信することにより、管理データベース側にてその情報が分析されて無線通信端末手段５の位置が特定される。
【００３１】
無線通信端末手段５の位置が特定されると、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信する。管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示され、そのナビゲート画面を見ながらルートＳに沿って進んで点検対象の列盤Ｄの盤Ｄ１の前に到着することができる。
【００３２】
この実施の形態４によれば、電気室２００のドア２０１の近傍の列盤、例えば列盤Ａの盤Ａ５の計測ユニット４ａの負荷名板１を特定する２次元コード１２を無線通信端末手段５の読み取り装置（図示せず）により読み取り、その２次元コード１２のデータを無線通信端末手段５の端末無線通信部８から例えば無線通信端末装置６Ｂに無線送信することにより、管理データベース側にてその情報が分析されて無線通信端末手段５の位置が特定され、無線通信端末手段５の位置が特定された後、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信することにより、管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示されるので、対象となる計測ユニットの計測装置の位置までのルートＳをナビゲートすることができ、保守員の対象となる計測ユニットの計測装置の位置までの移動時間、対象となる計測ユニットの計測装置の探索時間を短縮することができるので、保守費用の低減を図ることができる。
なお、情報コードとしては、バーコード、２次元コードを例に説明したが、これ以外にも三次元コードなど情報を取り出せるコードで有れば何でも良い。
【００３３】
実施の形態５．
この発明の実施の形態５を図１３および図１４に基づいて説明するが、各図において、同一、または相当部材、部位については同一符号を付して説明する。図１３はこの発明の実施の形態５に係わる特定位置ナビゲーションシステムを示す斜視図である。図１４はこの発明の実施の形態５に係わる特定位置ナビゲーションシステムを示す斜視図である。
【００３４】
この実施の形態５においては、各列盤の計測装置２には図１４に示すような計測装置２を特定するＲＦコード３０が設けられた場合を示し、例えば列盤Ａの盤Ａ５の計測ユニット４ａの計測装置２を特定するＲＦコード３０を無線通信端末手段５に設けた読み取り装置（図示せず）により読み取り、そのＲＦコード３０のデータを端末無線通信部８から例えば無線通信端末装置６Ｂに無線送信することにより、管理データベース側にてその情報が分析されて無線通信端末手段５の位置が特定される。
【００３５】
無線通信端末手段５の位置が特定されると、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信する。管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示され、そのナビゲート画面を見ながらルートＳに沿って進んで点検対象の列盤Ｄの盤Ｄ１の前に到着することができる。
【００３６】
この実施の形態５によれば、電気室２００のドア２０１の近傍の列盤、例えば列盤Ａの盤Ａ５の計測ユニット４ａの計測装置２を特定するＲＦコード３０を無線通信端末手段５の読み取り装置（図示せず）により読み取り、そのＲＦコード３０のデータを無線通信端末手段５の端末無線通信部８から例えば無線通信端末装置６Ｂに無線送信することにより、管理データベース側にてその情報が分析されて無線通信端末手段５の位置が特定され、無線通信端末手段５の位置が特定された後、特定となる点検対象の計測装置、例えば列盤Ｄの盤Ｄ１の計測ユニット４ｂの負荷名称、列盤コード等を無線通信端末手段５の端末操作部６により入力して例えば列盤Ｂの無線通信端末装置６Ｂに無線送信することにより、管理データベース側にてその情報を分析し、例えば無線通信端末装置６Ｂを通して図９に示すように無線通信端末手段５の端末表示部７に特定となる点検対象の例えば列盤Ｄの盤Ｄ１までのルートＳにて誘導するナビゲート画面が表示されるので、対象となる計測ユニットの計測装置の位置までのルートＳをナビゲートすることができ、保守員の対象となる計測ユニットの計測装置の位置までの移動時間、対象となる計測ユニットの計測装置の探索時間を短縮することができるので、保守費用の低減を図ることができる。
【００３７】
実施の形態６．
この発明の実施の形態６を図１５から図１７に基づいて説明するが、各図において、同一、または相当部材、部位については同一符号を付して説明する。図１５はこの発明の実施の形態６に係わる特定位置ナビゲーションシステムにおけるコントロールセンタを示す平面図である。図１６はこの発明の実施の形態６に係わる特定位置ナビゲーションシステムにおける管理センタを示す斜視図である。図１７はこの発明の実施の形態６に係わる特定位置ナビゲーションシステムにおける管理センタの表示装置を示す斜視図である。
【００３８】
この実施の形態６においては、保守員がどの電気室にいるのか、すなわち、無線通信端末手段５の位置がどの電気室にあるのかを特定する機能を設けたものである。電気室２００のドア２０１を開けて入室し、保守員が持っている例えばタブレット端末から構成される無線通信端末手段５の端末無線通信部８から例えば無線通信端末装置６Ａに無線送信することにより、管理センタ５０に設けられている位置情報表示パネル５１に図１７に示すようにＰ２の電気室に入室していることが表示される。このように保守員がどの電気室に入室しているかを特定できるので、保守員への点検、操作指示などを行うことができる。
【００３９】
そして、無線通信端末手段５の位置の特定および特定となる点検対象となる計測装置までのルートのナビゲートは上述した実施の形態１から実施の形態５のいずれかによって行うことができ、保守員の対象となる計測ユニットの計測装置の位置までの移動時間、対象となる計測ユニットの計測装置の探索時間を短縮することができるので、保守費用の低減を図ることができる。
【００４０】
実施の形態７．
この発明の実施の形態７を図１８および図１９に基づいて説明するが、各図において、同一、または相当部材、部位については同一符号を付して説明する。図１８はこの発明の実施の形態７に係わる特定位置ナビゲーションシステムにおけるコントロールセンタを示す平面図である。図１９はこの発明の実施の形態７に係わる特定位置ナビゲーションシステムにおける管理センタの表示装置を示す斜視図である。
【００４１】
この実施の形態７においては、保守員がどの電気室にいるのか、すなわち、無線通信端末手段５の位置がどの電気室にあるのかを特定する機能を設けたものである。電気室２００のドア２０１を開けて入室し、電気室２００に設けたＩＤ読み取り装置３００にＩＤカード（図示せず）をかざすことにより、ＩＤ読み取り装置３００から例えば無線通信端末装置６Ａに無線送信され、管理センタ５０に設けられている位置情報表示パネル５１に図１９に示すようにＰ３の電気室に入室していることが表示される。このように保守員がどの電気室に入室しているかを特定できるので、保守員への点検、操作指示などを行うことができる。
【００４２】
そして、無線通信端末手段５の位置の特定および特定となる点検対象となる計測装置までのルートのナビゲートは上述した実施の形態１から実施の形態５のいずれかによって行うことができ、保守員の対象となる計測ユニットの計測装置の位置までの移動時間、対象となる計測ユニットの計測装置の探索時間を短縮することができるので、保守費用の低減を図ることができる。
【００４３】
なお、この発明は、その発明の範囲内において、実施の形態を自由に組み合わせたり、実施の形態を適宜、変形、省略することが可能である。
【産業上の利用可能性】
【００４４】
この発明は、対象となる計測ユニットの計測装置までのルートをナビゲートすることができる特定位置ナビゲーションシステムの実現に好適である。
【符号の説明】
【００４５】
１  負荷名板、２  計測装置、３  無線通信部、４  計測ユニット、５  無線通信端末手段、６  端末操作部、７  端末表示部、８  端末無線通信部、１１  バーコード、１２  ２次元コード、３０  ＲＦコード、２００  電気室、３００  ＩＤ読み取り装置。
【図１】
2015230529.tif 000003
【図２】
2015230529.tif 000004
【図３】
2015230529.tif 000005
【図４】
2015230529.tif 000006
【図５】
2015230529.tif 000007
【図６】
2015230529.tif 000008
【図７】
2015230529.tif 000009
【図８】
2015230529.tif 000010
【図９】
2015230529.tif 000011
【図１０】
2015230529.tif 000012
【図１１】
2015230529.tif 000013
【図１２】
2015230529.tif 000014
【図１３】
2015230529.tif 000015
【図１４】
2015230529.tif 000016
【図１５】
2015230529.tif 000017
【図１６】
2015230529.tif 000018
【図１７】
2015230529.tif 000019
【図１８】
2015230529.tif 000020
【図１９】
2015230529.tif 000021